(57)【特許請求の範囲】
【請求項１】
外部機器から受信した検査依頼情報に基づいて医療検査を制御する情報処理装置であって、
前記外部機器へ送信された、検査画像を含む検査情報を表示手段に選択可能に表示させる第１の表示制御手段と、
前記外部機器から受信した、検査手技を特定する特定情報を含む検査依頼情報を前記表示手段に選択可能に表示させる第２の表示制御手段と、
前記第１の表示制御手段による表示において選択された検査情報に含まれる検査画像の検査手技と、第２の表示制御手段による表示において選択された検査依頼情報に含まれる前記特定情報により特定される検査手技とを比較して、追加の検査の要否を判定する判定手段と、
前記判定手段により追加の検査が必要であると判定された場合に、追加検査が必要であることを示す情報を前記表示手段に表示させる第３の表示制御手段と
を備えることを特徴とする情報処理装置。
【請求項２】
選択された前記検査情報に含まれる検査画像と、選択された前記検査依頼情報に含まれる被験者の識別情報とを関連づけて、新たな検査情報を生成する生成手段と、
前記新たな検査情報を前記外部機器へ送信する送信手段と
をさらに備えることを特徴とする請求項１に記載の情報処理装置。
【請求項３】
前記判定手段により追加の検査が必要であると判定された場合、前記送信手段は、当該追加の検査が必要であると判定された検査依頼情報についての前記新たな検査情報を、該追加の検査が行われた後に送信することを特徴とする請求項２に記載の情報処理装置。
【請求項４】
前記生成手段により新たな検査情報が生成されたことに応じて、前記選択された検査情報に含まれる検査画像を写損画像として修正する修正手段をさらに備えることを特徴とする請求項２又は３に記載の情報処理装置。
【請求項５】
前記選択された検査情報に対応する前記外部機器により管理されている検査情報を無効化するための無効情報を前記外部機器へ送信する送信手段をさらに備えることを特徴とする請求項１に記載の情報処理装置。
【請求項６】
前記第１の表示制御手段は、前記無効情報を送信した検査情報を他の検査情報と区別して前記表示手段に表示させることを特徴とする請求項５に記載の情報処理装置。
【請求項７】
前記第２の表示制御手段は、前記第１の表示制御手段による表示において選択された検査情報に含まれる検査画像の検査手技と一致する検査手技についての検査の検査依頼情報を、他の検査依頼情報と区別して前記表示手段に表示させることを特徴とする請求項１から６のいずれか１項に記載の情報処理装置。
【請求項８】
外部機器から受信した検査依頼情報に基づいて医療検査を制御する情報処理装置であって、
前記外部機器へ送信された、検査画像を含む検査情報を表示手段に選択可能に表示させる第１の表示制御手段と、
前記外部機器から受信した、検査手技を特定する特定情報を含む検査依頼情報を前記表示手段に選択可能に表示させる第２の表示制御手段と、
前記第１の表示制御手段による表示において選択された検査情報に含まれる検査画像の検査手技と、第２の表示制御手段による表示において選択された検査依頼情報に含まれる前記特定情報により特定される検査手技とを比較して、追加の検査の要否を判定する判定手段と、
前記判定手段により追加の検査が必要であると判定された場合、前記選択された検査情報に対応する前記外部機器により管理されている検査情報を無効化するための無効情報を前記外部機器へ送信する送信手段と
を備えることを特徴とする情報処理装置。
【請求項９】
外部機器から受信した検査依頼情報に基づいて医療検査を制御する情報処理装置の情報処理方法であって、
第１の表示制御手段が、前記外部機器へ送信された、検査画像を含む検査情報を表示手段に選択可能に表示させる第１の表示制御工程と、
第２の表示制御手段が、前記外部機器から受信した、検査手技を特定する特定情報を含む検査依頼情報を前記表示手段に選択可能に表示させる第２の表示制御工程と、
判定手段が、前記第１の表示制御工程による表示において選択された検査情報に含まれる検査画像の検査手技と、第２の表示制御工程による表示において選択された検査依頼情報に含まれる前記特定情報により特定される検査手技とを比較して、追加の検査の要否を判定する判定工程と、
第３の表示制御手段が、前記判定工程により追加の検査が必要であると判定された場合に、追加検査が必要であることを示す情報を前記表示手段に表示させる第３の表示制御工程と
を備えることを特徴とする情報処理方法。
【請求項１０】
コンピュータを請求項１から７のいずれか１項に記載の情報処理装置が備える各手段として機能させるためのコンピュータプログラム。
【発明の詳細な説明】
【技術分野】
【０００１】
本発明は情報処理装置及びその方法、コンピュータプログラムに関し、特に、医療検査の制御に関する。
【背景技術】
【０００２】
近年病院では、ネットワーク接続による病院情報システムが構築されている。例えば、Ｘ線撮影を行う場合、医師が端末より検査指示を入力し、依頼先である放射線部門のＲＩＳ（Radiology Information System、放射線情報システム）に伝達する。
【０００３】
この依頼情報には、依頼元の部門名や、検査項目、撮影対象となる患者の個人データなどが含まれる。放射線撮影システムはＲＩＳより検査依頼情報を受信し、依頼内容に従ってＸ線撮影を実施する。撮影された画像には検査情報を付与し、ＰＡＣＳ（Picture Archiving and Communication System、画像保存通信システム）へのストレージ転送やプリント出力を行うことが一般的である。
【０００４】
放射線撮影システムではＲＩＳ等の外部機器から受信した検査依頼情報一覧から対象となる被写体の検査依頼情報を放射線技師が選択し、選択した検査依頼情報に基づき撮影を繰り返す。この時、誤った検査依頼情報を選択して検査を開始してしまった場合に、検査オーダの変更を可能とし、その際に撮影済み画像の引継ぎや検査実施情報の整合性を考慮するなどして、検査オーダの変更を容易にした構成が知られている（特許文献１参照）。
【先行技術文献】
【特許文献】
【０００５】
【特許文献１】特開２０１３−２１５２７４号公報
【発明の概要】
【発明が解決しようとする課題】
【０００６】
検査完了後ＰＡＣＳ等に画像を送信した後に誤りに気付いた場合は、既に出力してしまった検査が無効であることを通知した後、本来実施すべきであった検査情報で画像を再度出力するか、又は、再検査する必要がある。この時、誤って実施してしまった検査画像であっても、本来実施すべきであった検査画像として利用できるのであれば、再検査を実施せずに流用することが望ましい。
【０００７】
しかしながら、従来の構成では、誤って実施してしまった検査画像が、本来実施すべきであった検査画像として利用できるのか、追加撮影が必要であるかを簡単に把握することができなかった。そのため、操作者は誤って撮影してしまった画像と、本来実施すべきであった検査内容を目視で確認するなどして、追加で必要な撮影を手動により把握する必要があった。さらに誤って撮影してしまった検査画像の検査情報を手作業で修正しなければならず操作者への作業負荷が少なからず発生していた。
【０００８】
本発明は上記課題に鑑みなされたものであり、検査依頼に応じて行った検査に誤りが含まれる場合に、その確認や修正を容易に行うことが可能な技術を提供することを目的とする。
【課題を解決するための手段】
【０００９】
上記目的を達成するため、本発明による情報処理装置は以下の構成を備える。即ち、
外部機器から受信した検査依頼情報に基づいて医療検査を制御する情報処理装置であって、
前記外部機器へ送信された、検査画像を含む検査情報を表示手段に選択可能に表示させる第１の表示制御手段と、
前記外部機器から受信した、検査手技を特定する特定情報を含む検査依頼情報を前記表示手段に選択可能に表示させる第２の表示制御手段と、
前記第１の表示制御手段による表示において選択された検査情報に含まれる検査画像の検査手技と、第２の表示制御手段による表示において選択された検査依頼情報に含まれる前記特定情報により特定される検査手技とを比較して、追加の検査の要否を判定する判定手段と、
前記判定手段により追加の検査が必要であると判定された場合に、追加検査が必要であることを示す情報を前記表示手段に表示させる第３の表示制御手段と
を備える。
【発明の効果】
【００１０】
本発明によれば、検査依頼に応じて行った検査に誤りが含まれる場合に、その確認や修正を容易に行うことが可能な技術を提供することができる。
【図面の簡単な説明】
【００１１】
【図１】放射線撮影システムのハードウェア構成図である。
【図２】放射線撮影システムの機能構成図である。
【図３】放射線撮影システムの実行処理手順を示すフローチャートである。
【図４】放射線撮影システムのＧＵＩの一例を示す図である。
【図５】放射線撮影システムのＧＵＩの一例を示す図である。
【図６】放射線撮影システムのＧＵＩの一例を示す図である。
【図７】放射線撮影システムのＧＵＩの一例を示す図である。
【図８】放射線撮影システムのＧＵＩの一例を示す図である。
【図９】放射線撮影システムのＧＵＩの一例を示す図である。
【発明を実施するための形態】
【００１２】
以下、添付図面を参照して本発明の実施の形態を詳細に説明する。
【００１３】
＜実施形態１＞
（ハードウェア構成）
図１に、本実施形態に係る放射線撮影システムのハードウェア構成例を示す。図１に示すように、放射線撮影システムは、例えば、制御部１０１、センサ部１０２、放射線発生部１０３、表示部１０４、及び、操作部１０５を有する。なお、これらの各機能部は、それぞれ別のハードウェアを有する別個の装置であってもよいし、１つの装置内に複数の機能部が含まれていてもよい。また、放射線とは例えばＸ線でありうる。
【００１４】
制御部１０１は操作者による入力に基づき、センサユニットの駆動やＸ線発生部への制御を行う制御装置である。また、制御部１０１は、センサ補正データ、放射線撮影条件、画像データなどの各種データを管理する。制御部１０１は、その構成として例えば、ＲＡＭ（書込み可能メモリ）１１０、ＲＯＭ（読出し専用可能メモリ）１１１、ＬＡＮ／ＩＦ１１２、ＤＩＳＫ／ＩＦ１１３、ＣＰＵ１１４、ハードディスクなどの不揮発性記憶装置１１５を有する。そして、これらのハードウェアは、システムバス１１６によって互いに接続される。すなわち、制御部１０１は、パーソナルコンピュータ（ＰＣ）等の一般的なコンピュータ（情報処理装置）の構成を有する。
【００１５】
センサ部１０２は、放射線発生部１０３から放射され、被写体を透過した放射線信号を画像化するセンサユニットであり、収集された画像は制御部１０１へ転送される。放射線発生部１０３は、放射線発生装置であり、制御部１０１の指示に基づいて放射線を被写体（不図示）およびセンサ部１０２へ向けて照射する。
【００１６】
表示部１０４は、例えばＣＲＴや液晶ディスプレイなどの一般的なモニタを用いて構成され、画像データやＧＵＩ（グラフィカルユーザインタフェース）などを画面に表示する。操作部１０５はポインティング装置、キーボード、照射スイッチなどの入力装置を用いて構成され、操作者（ユーザ）が制御部１０１に対して各種コマンドやデータを入力するために使用される。なお、タッチパネルのように表示部１０４と操作部１０５との両方の機能を有するモニタが用いられてもよい。
【００１７】
外部機器１０６は、制御部１０１から転送された画像を保存する画像保存システム、あるいは、検査依頼情報を取得するための放射線情報システムなどの外部システムである。外部機器１０６は、例えば、撮影オーダーの取得先であるＲＩＳや撮影画像を保存、表示するためのＰＡＣＳ、ＤＩＣＯＭビューワなどに代表されるＤＩＣＯＭ通信可能な外部システム全般を示している。ＲＩＳはRadiology Information Systemの略称であり、ＰＡＣＳはPicture Archiving and Communication Systemの略称である。ＤＩＣＯＭは、Digital Imaging and COmmunication in Medicineの略称である。
【００１８】
放射線撮影システムは、外部機器１０６に設けられたＲＩＳから検査依頼情報を受信すると、放射線発生部１０３、センサ部１０２を用いて被写体の撮影を行い、撮影画像等を含む検査情報を外部機器１０６へ送信する。以下、説明の便宜上、外部機器１０６は放射線撮影システムに含まれず、放射線撮影システムが、外部機器１０６とネットワークを介して通信する場合の構成例について説明する。もっとも、外部機器１０６は必ずしも放射線撮影システムと別個に設ける必要はなく、例えば、制御部１０１と同一の装置上に実現してもよい。また、本実施形態では、医療検査の一例として放射線撮影を行う例を説明するが、例えば、断層撮影、眼底検査等、他の医療検査に適用してもよい。
【００１９】
（機能構成）
次に上述の制御部１０１の機能構成例について図２を用いて説明する。なお、以下では、各機能ブロックがコンピュータプログラムに基づき制御部１０１の機能として実現される例について説明するが、放射線撮影システム内の他の装置によって、これらの機能ブロックのうちの少なくとも一部が実現されてもよい。
【００２０】
図２は、本発明の実施形態１に係る放射線撮影システムの機能構成例を示すブロック図である。図２に示すように、制御部１０１は、例えばその機能として、検査選択部２０１、依頼情報選択部２０２、検査情報生成部２０３、無効情報生成部２０４、判定部２０５、変更部２０６、検査修正部２０７および送信部２０８を有する。
【００２１】
検査選択部（送信済検査選択部）２０１は、放射線撮影システムから外部機器１０６へ送信された検査情報の中から誤って実施してしまった検査についての検査情報を、操作者の操作により指定するための機能ブロックである。検査選択部２０１は、外部機器１０６へ送信された、検査画像を含む検査情報を表示部１０４に選択可能に表示させる。検査の誤りには、例えば、患者の取り違え、検査内容（例えば、撮影部位、側性等）の誤り、検査画像の取り違え等が含まれる。検査選択部２０１は、表示部１０４のＧＵＩ上に表示された送信済検査一覧を操作部１０５のポインティング装置、キーボードなどの入力デバイスによって選択する。検査情報とは個々の検査を特定する情報である。本実施形態では検査情報に、検査日時、患者ＩＤ（被験者の識別情報）、患者名、患者の生年月日・性別、撮影手技（例えば、撮影方式、撮影部位、側性、撮影モード等）、撮影画像が含まれる例を説明する。検査情報はこの例に限られず、例えば、撮影画像等の一部の情報は検査情報には含めないようにしたり、あるいは、例えば、患者の詳細なプロフィール（例えば、既往症、住所等）等の他の情報を含めるようにしてもよい。
【００２２】
依頼情報選択部（検査依頼情報選択部）２０２は、検査を行うべき検査依頼情報を選択する機能ブロックである。依頼情報選択部２０２は、外部機器１０６に設けられたＲＩＳから取得した検査依頼情報を表示部１０４に選択可能に一覧表示し、表示された検査依頼情報を操作部１０５のポインティング装置、キーボードなどの入力デバイスによって操作者に選択させる。検査依頼情報とは、外部機器１０６のＲＩＳから放射線撮影システムへ送信される検査を依頼する情報である。本実施形態では検査依頼情報に、受付番号、患者ＩＤ、患者名、撮影手技を特定する特定情報等が含まれる例を説明するが、この例に限られない。
【００２３】
検査情報生成部２０３は、検査選択部２０１によって選択された検査情報と、依頼情報選択部２０２によって選択された検査依頼情報とから、本来実施すべきであった正しい検査情報を生成する機能ブロックである。
【００２４】
無効情報生成部２０４は、検査選択部２０１によって選択された検査情報に含まれている画像または検査に対する無効情報を生成する機能ブロックである。無効情報とは、検査が無効となった理由や無効とする検査や画像を特定するための識別情報などを含む情報である。無効情報は、より具体的には例えば、ＤＩＣＯＭのRejection Noteとして作成することができる。
【００２５】
判定部（追加撮影要否判定部）２０５は、検査情報生成部２０３によって生成された検査情報に対してさらに追加の撮影が必要であるか否かを判定するブロックである。追加の撮影の要否は、検査選択部２０１によって選択された検査情報および依頼情報選択部２０２によって選択された検査依頼情報を元に判定する。より具体的な判定手法については後述する。
【００２６】
変更部（検査状態変更部）２０６は、検査情報生成部２０３によって生成された検査情報に係る検査が追加撮影必要なものか否かを区別するために検査状態を変更するブロックである。検査修正部（実施済検査修正部）２０７は、誤った検査として検査選択部２０１によって選択された検査を無効検査とし、検査に含まれる画像を写損として保存する機能ブロックである。送信部（情報送信部）２０８は、検査情報生成部２０３によって生成された検査情報、及び、無効情報生成部２０４によって生成された無効情報を、外部機器１０６に対して送信する機能ブロックである。
【００２７】
（処理手順）
次に図３を用いて本実施形態に係る処理のフローを説明する。図３は、本実施形態にかかる放射線撮影システムの実行処理手順を示すフローチャートである。本フローは、検査選択部２０１によって送信済み検査を表示している状態から修正対象の検査を選択し、検査情報を修正するまでの典型的な処理手順を示している。なお、本フローの前提として、あらかじめ誤って実施した検査が存在しているとする。以下の各ステップは、ＣＰＵ（中央演算処理装置）１１４の制御に基づき実行される。
【００２８】
Ｓ３０１では、検査選択部２０１は、放射線撮影システムから外部機器１０６へ外部送信された検査を表示する。そして、患者の取り違えや検査内容の誤り等の誤りを含む検査情報の選択を受け付ける。例えば、操作者が送信済み検査表示画面を表示するように要求すると、制御部１０１が過去に実施された検査情報を不揮発性記憶装置１１５に構築されたＤＢ（データベース）などから読みこみ、表示部１０４のディスプレイ上に選択可能に一覧表示する。
【００２９】
次に、表示された送信済み検査の一覧の中から誤って実施してしまった検査情報が選択されると、Ｓ３０２では選択された検査情報をＲＡＭ１１０や不揮発性記憶装置１１５などに記憶する。
【００３０】
Ｓ３０３では、依頼情報選択部２０２は、外部機器１０６に設けられたＲＩＳから取得した検査依頼情報を表示する。そして、Ｓ３０１で選択された検査情報の内容に対応させるべき検査依頼情報の選択を受け付ける。例えば、ＧＵＩ上に表示されたボタン等がクリック（選択）されたことに応じて、放射線撮影システムが外部機器１０６のＲＩＳから検査依頼情報を取得し、取得した依頼情報を一覧で表示する。表示された依頼情報の中から操作者が所望の依頼情報を選択すると、Ｓ３０４では、選択された依頼情報をＲＡＭ１１０や不揮発性記憶装置１１５などに記憶する。
【００３１】
Ｓ３０５では、検査情報生成部２０３は、Ｓ３０４で記憶された検査依頼情報に基づき、新しい検査情報を生成する。具体的には、検査依頼情報に含まれる患者ＩＤ、患者名等と同一の値が設定された患者ＩＤ、患者名等を含み、検査日時、撮影手技、撮影画像等の他のパラメータについては初期値（例えば、ＮＵＬＬ等）が設定された検査情報を生成する。さらに、送信済み検査に含まれる画像のうち、依頼情報の撮影手技に一致するものについては複製し、新たな検査画像として関連付ける。
【００３２】
Ｓ３０６では、判定部２０５は、Ｓ３０５で作成された検査に追加撮影が必要であるか否かを判定する。より具体的には、Ｓ３０１で選択された送信済み検査に含まれる撮影手技と、Ｓ３０３で選択された検査依頼情報に含まれる撮影手技とが全く同じであれば、送信済み検査に含まれる画像を新たな検査画像とすれば良い。このため、追加撮影は必要なしと判断する。一方、依頼情報に含まれる撮影手技と送信済み検査画像の撮影手技とが一致しない場合や、または、手技が一致していたとしても依頼情報に含まれる撮影手技に対して、送信済み画像が不足している場合は、追加撮影が必要と判断する。
【００３３】
Ｓ３０７では、無効情報生成部２０４は、Ｓ３０２で記憶された検査情報に対する無効情報を生成する。より具体的には、Ｓ３０２で記憶された検査に対して、ＤＩＣＯＭで規定されているRejection Noteを生成する。Rejection Noteには、検査依頼情報の誤選択による修正要求である旨などの、無効とするに至った理由を記述してもよい。
【００３４】
Ｓ３０８では、Ｓ３０２で選択された検査を無効検査とし、同検査に含まれる撮影画像を全て写損とする。Ｓ３０９では、Ｓ３０６において判定部２０５により判定された結果に基づき処理を分岐する。追加撮影が不要と判断された場合（Ｓ３０９でＮＯ）はＳ３１０へ遷移し、送信部２０８は、Ｓ３０５で作成された検査情報とＳ３０７で作成された無効情報を送信する。追加撮影が必要と判定された場合（Ｓ３０９でＹＥＳ）はＳ３１１へ遷移し、Ｓ３０５で作成された検査情報を要追加撮影検査としてマークし、データベース等に保存する。そして、処理を終了する。
【００３５】
（ＧＵＩ例）
次に図４、図５、図６、図７を用いて、本放射線撮影システムのＧＵＩ例を説明する。図４〜図７は、本放射線撮影システムの表示部１０４に表示されるＧＵＩの例を示す図である。
【００３６】
図４は、送信済みの検査情報の一覧を選択可能に表示する送信済検査選択画面の一例を示す図である。送信済検査選択画面は図３のＳ３０１において表示される。図４の４０１は送信済検査選択画面である。４０２は送信済み検査一覧表示領域であり、患者の取り違え等の検査誤りを含む送信済み検査を操作者が選択するために用いられる。図４においては、枠４０６により、「患者ＩＤ：１２３４５」、「患者名：Ｙａｍａｄａ  Ｔａｒｏ」が選択されている様子が示されている。４０３は患者情報表示領域であり、選択された送信済み検査の患者情報をより詳細に表示する領域である。４０４は撮影手技表示領域であり、選択された検査で撮影された画像を撮影手技とサムネイル画像と共に表示することで、どのような手技でどのような画像が収集されたのかを一瞥して確認できるようにしている。図４の例では、「検査日時：２０１５／０４／１６」に「患者ＩＤ：１２３４５」により識別される患者（患者名：Ｙａｍａｄａ  Ｔａｒｏ）から、「胸部正面」及び「胸部側面」の画像が収集されたことが示されている。４０５は呼出ボタン（検査依頼情報選択画面呼出ボタン）であり、検査依頼情報を選択する画面を表示する際に用いられる。この呼出ボタン４０５がポインティング装置等のポインティングデバイスやタッチパネル等のクリックにより選択されることに応じて、放射線撮影システムは、検査依頼情報を選択するための画面を呼び出す。以下、枠４０６により特定される検査情報が選択された状態で呼出ボタン４０５が選択された場合の例について説明する。
【００３７】
図５は、呼出ボタン４０５の押下によって呼び出される検査依頼情報選択画面の一例を示した図である。検査依頼情報選択画面は図３のＳ３０３において表示される。５０１は検査依頼情報を選択するための検査依頼情報選択画面であり、外部機器１０６のＲＩＳから取得した検査依頼情報を表示する。表示する検査依頼情報は本画面表示時に取得してもよいし、あらかじめ取得しておいても構わない。５０２は検査依頼情報一覧表示領域であり、外部機器１０６のＲＩＳから取得した検査依頼情報を一覧表示し、操作者に選択させるために用いられる。図５においては、「受付番号：１１１１１」、「患者ＩＤ：２３４５６」、「患者名：Ｙａｍａｄａ  Ｊｉｒｏ」の検査依頼情報が選択されている様子を示している。
【００３８】
なお、検査依頼情報一覧表示領域５０２において、太字で表示されている検査依頼情報は、送信済み検査選択画面（図４）で選択されている検査と同じ撮影手技を含む依頼情報を示している。前述の例では、図４において「胸部正面」、「胸部側面」の画像が収集された「患者ＩＤ：１２３４５」に対する検査が選択されているため、「胸部正面」又は「胸部側面」の撮影依頼を含む検査依頼情報が検査依頼情報一覧表示領域５０２に表示される。図５では、「受付番号：１１１１１」、「受付番号：４４４４４」の依頼情報がこれにあたる。このように送信済み検査選択画面で選択されている検査と同じ撮影手技を含む依頼情報を他の依頼情報と区別して表示することで、本来実施すべきであった検査である可能性の高い検査依頼情報を識別しやすくしている。本実施形態では、表示される文字の太さを変えることによって撮影手技が同じであることを示しているが、一覧表示された依頼情報のうち、送信済み検査選択画面で選択されている検査と同じ撮影手技を含むことが識別できればいかなる方式でも構わない。例えば、アイコンやマーク等のグラフィック（絵柄）を表示する方式や、テキストやラベルなどの文字情報を表示するなどしても良い。
【００３９】
５０３はＯＫボタンであり、選択した検査依頼情報を確定し、新たな検査情報を作成、作成された検査情報に追加撮影が必要か否かの判定、送信済み検査に対する無効情報の作成、送信済み検査画像を写損とする処理をまとめて指示するために用いられる。５０４はキャンセルボタンであり、検査依頼情報の選択を破棄し、本画面を閉じるために用いられる。以下、「患者ＩＤ：２３４５６」、「患者名：Ｙａｍａｄａ  Ｊｉｒｏ」の検査依頼情報が選択された状態でＯＫボタン５０３が選択された場合の例について説明する。
【００４０】
図６は図５において新たな検査情報が作成された後の送信済み検査選択画面であり、図５で選択された検査依頼情報に基づき、検査情報が新たに生成された状態を示している。図６の例では、
「患者ＩＤ：２３４５６」、「患者名：Ｙａｍａｄａ  Ｊｉｒｏ」の検査情報が新たに作成され、図４の「患者ＩＤ：１２３４５」、「患者名：Ｙａｍａｄａ  Ｔａｒｏ」の検査情報が、「患者ＩＤ：２３４５６」の検査情報により置き換えられている。
【００４１】
図５では送信済み検査と検査依頼情報に含まれている撮影手技が全く同一であり、再撮影が不要なケースである（Ｓ３０９でＮＯ）。このため、図５のＯＫボタン５０３が選択されたことに応じて、検査画像の送信まで実行されている状態となっている。すなわち、ＯＫボタン５０３がクリック（選択）されたことに応じて図３におけるＳ３０４〜Ｓ３１０までが自動的に実行され、送信済み検査は無効検査となる。この場合、その検査に含まれる画像はすべて写損画像とすることができる。なお、図６中の６０１〜６０５は図４の４０１〜４０５と同一である。
【００４２】
次に図７を用いて、追加撮影が必要なケース（Ｓ３０９でＹＥＳ）についてのＧＵＩの例を示す。７０１は確認画面であり、図５において、撮影手技が一致しない検査依頼情報を選択してＯＫボタン５０３が選択された際に表示される。７０２は送信済検査患者情報表示領域であり、送信済み検査として選択されている検査の患者情報を示す領域である。図７の例では、「患者ＩＤ：１２３４５」、「患者名：Ｙａｍａｄａ  Ｔａｒｏ」の検査情報が送信済であることを示している。
【００４３】
７０３は送信済検査撮影手技表示領域であり、送信済検査として選択されている撮影手技を示す領域である。図７の例では、送信済検査撮影手技表示領域７０３には胸部正面と胸部側面が表示されているから、胸部正面、胸部側面の２つの撮影画像が含まれることを示している。
【００４４】
７０４は依頼検査患者情報表示領域であり、選択された検査依頼情報の患者情報を表示する領域である。図７の例では、「患者ＩＤ：３４５６７」、「患者名：Ｙａｍａｄａ  Ｈａｎａｋｏ」の検査依頼情報を受信したことを示している。７０５は検査依頼情報撮影手技表示領域であり、検査依頼情報に含まれる撮影手技を表示する領域である。図７の例では、胸部正面、腹部正面の２つの撮影手技が含まれることを示している。このケースでは、胸部正面は一致しているためサムネイル画像が表示されているが、腹部正面の撮影画像は存在しないため、関連付けられる画像が存在せず「？」を表示することで追加撮影が必要であることを示している。このようにして、本実施形態では、選択された検査情報に含まれる検査画像の検査手技と選択された検査依頼情報に含まれる特定情報により特定される検査手技とを比較して、追加の検査の要否を判定する。そして、追加の検査が必要であると判定された場合に、追加検査が必要であることを示す情報を表示部１０４に表示させる表示制御を行う。したがって、本実施形態によれば、ユーザは、追加の検査の要否を一見して把握することが可能となる。
【００４５】
７０６はＯＫボタンであり、検査情報を生成し、要追加撮影が必要な状態として検査情報を生成することを指示するために用いられる。７０７はキャンセルボタンであり、検査情報の作成を破棄し、画面を閉じるために用いられる。
【００４６】
以上のように、本放射線撮影システムは、誤った検査依頼情報で実施してしまった検査画像が本来実施すべきであった検査画像として利用できるか否かを判断し、本来の検査に対して追加で撮影が必要であるか否かを判定する。このため、検査のやり直しに必要な処理を効率よく実施することが可能となる。
【００４７】
また、本実施形態では、選択された検査情報に含まれる検査画像と、選択された検査依頼情報に含まれる被験者の識別情報とを関連づけて、新たな検査情報を生成して外部機器１０６へ送信する。このため、患者の取り違え等が生じた場合であっても、ユーザは、検査情報の修正を容易に行うことが可能である。
【００４８】
さらに、追加の検査が必要であると判定された場合、当該追加の検査が必要であると判定された検査依頼情報についての新たな検査情報を、該追加の検査が行われた後に送信する。すなわち、追加撮影必要状態とされた検査は、必要な画像が収集されるまで外部送信を禁止する。これにより、誤った検査情報の送信を防止することができる。
【００４９】
また、選択された検査情報を無効化するための無効情報をさらに外部機器１０６へ送信することで、検査誤りを含む検査情報を効果的に無効化することができる。ここで、無効情報を送信した検査情報を他の検査情報と区別して表示部１０４に表示させることで、他の検査情報と容易に区別することが可能となる。さらに、新たな検査情報が生成されたことに応じて、選択された検査情報に含まれる検査画像を写損画像として修正することで、検査誤りのある画像を自動的に写損画像に分類することができる。
【００５０】
＜実施形態２＞
実施形態１においては、正しい検査情報を生成した後には、誤って実施した検査情報は表示されない例を示したが、過去にどのような検査で失敗したのかを参照したいケースも想定される。そこで、検査情報を修正する際に、誤って実施してしまった検査を誤実施検査として残しておくか、削除または非表示とするかを設定できるようにしておき、その設定に基づいて誤実施検査を管理することも可能である。この場合、誤実施検査は誤った患者情報で実施された検査であり、画像に対する患者情報が正しくないため、診断画像としては不適切である。したがって、誤実施検査として管理される検査に含まれる画像は、本放射線撮影システムから外部出力できないよう制御し、不適切な画像で診断されるリスクを低減することが望ましい。
【００５１】
図８は、検査情報の生成が完了した際に、誤実施検査を残す設定の場合の送信済み検査選択画面の一連を示している。８０１はこの検査が誤実施された検査で、修正されたことを示す誤実施検査識別マークである。すなわち、この検査は無効情報生成部２０４によって生成された無効情報が送信済みであることを示している。図８では、「患者名：Ｙａｍａｄａ  Ｔａｒｏ」の検査が誤実施された検査であることを示している。このマークで示されている検査に含まれる画像は、実施形態１においても述べた通り、写損画像として扱われ、本放射線撮影システム内での参照はできるが、外部機器１０６への出力は禁止されるようにすることができる。
【００５２】
以上のように、無効とした検査を誤実施検査として保持しておくか、生成された検査に対して移動し元の検査情報を削除または非表示とするか否かを設定可能とすることで、不適切な画像による診断のリスクを低減することが可能となる。無効情報を送信済みの検査であるか否かを区別して一覧表示したり、検査全体が向こうであることを区別できるように表示することによっても、かかるリスクの低減に寄与することができる。
【００５３】
＜実施形態３＞
追加撮影が必要な検査は、改めて患者を呼び出し再撮影しなければならないため、患者にとっての負担が大きく、操作者は患者に対してより丁寧に接する必要がある。したがって、操作者が追加撮影の必要な検査であるか否かを検査開始前にあらかじめ把握できるように、通常の検査と誤実施検査から要追加撮影検査となった検査を識別できるようにしておくことが望ましい。
【００５４】
図９は図７の指示ボタン７０６を選択後の未完了検査表示画面の一例を示したものである。９０１は検査が誤実施検査から追加撮影が必要な検査となったものであることを識別するための要追加撮影検査識別マークである。図９では、「患者名：Ｙａｍａｄａ  Ｈａｎａｋｏ」の検査が要追加撮影検査であることを示している。９０２は検査開始ボタンであり、このボタンをクリック（選択）することで選択された未完了検査の検査を再開することができる。
【００５５】
本実施形態では、要追加撮影検査識別マークを表示することによって追加撮影が必要な検査であるかを識別可能としているが、テキストやラベルなどの文字情報で表示するなどしてもよい。すなわち、一覧表示された検査一覧のうち、通常の検査と誤実施検査から要追加撮影検査となった検査であることを識別できればいかなる方式でも構わない。
【００５６】
以上のように、本発明の各実施形態においては、誤って実施してしまった検査と、本来実施すべきであった検査依頼情報を選択することによって、正しい検査情報を生成する。この時、誤って実施した検査画像の撮影手技と検査依頼情報に含まれる撮影手技が過不足なく一致していれば、追加撮影不要と判断し、一致しなければ追加撮影が必要と判断し、追加撮影必要検査として管理する。このため、外部機器へ送信済みの検査の誤りに気付いた場合であっても、放射線撮影システムから容易に検査情報を修正でき、操作者の負担を軽減することが可能となる。
【００５７】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５８】
１０１：制御部、１０２：センサ部、１０３：放射線発生部、１０４：表示部、１０５：操作部、１０６：外部機器
【図１】
0006700867.tif 000002
【図２】
0006700867.tif 000003
【図３】
0006700867.tif 000004
【図４】
0006700867.tif 000005
【図５】
0006700867.tif 000006
【図６】
0006700867.tif 000007
【図７】
0006700867.tif 000008
【図８】
0006700867.tif 000009
【図９】
0006700867.tif 000010